(57)【要約】【課題】送信情報を送信する可視光通信時と送信情報を送信しない非通信時との間で可視光の輝度変化を低減する。【解決手段】光源１０は、緑色光を放射する緑色発光ダイオード１００と、青色光を放射する青色発光ダイオード１０１と、赤色光を放射する赤色発光ダイオード１０２とを有し、白色光を照射する。緑色発光ダイオード１００及び青色発光ダイオード１０１は、可視光通信時であるか否かに関係なく予め設定された電流値の直流電流によって一定の光出力で点灯している。発振周期制御部１４は、可視光通信時に、送信情報を含む情報信号に基づいた電流パターンを電源１３からの直流電流に重畳してパルス状の電流とし、このパルス状の電流を赤色発光ダイオード１０２に出力するように発振部１４１を制御することによって、光源１０のうち赤色発光ダイオード１０２のみに対しパルス状の電流に基づいて点灯及び消灯を制御する。【選択図】図１
2008034988.tif 000002
【特許請求の範囲】
【請求項１】
赤色光を放射する赤色発光ダイオード、緑色光を放射する緑色発光ダイオード及び青色光を放射する青色発光ダイオードを有する光源と、
前記光源のうち前記赤色発光ダイオードのみに対し送信情報に基づいて点灯及び消灯を制御する制御手段と
を備えることを特徴とする照明器具。
【請求項２】
前記制御手段が、前記送信情報を送信する可視光通信時と当該送信情報を送信しない非通信時とで前記赤色光の光出力が等しくなるように、前記可視光通信時における前記赤色発光ダイオードの点灯時に当該赤色発光ダイオードに流れる電流の大きさを制御することを特徴とする請求項１記載の照明器具。
【請求項３】
請求項１又は２記載の照明器具と、
前記照明器具からの赤色光を受光して送信情報を受信する受信機と
を備えることを特徴とする照明システム。
【発明の詳細な説明】
【技術分野】
【０００１】
本発明は、照明用の可視光を用いて通信を行う照明器具及び照明システムに関するものである。
【背景技術】
【０００２】
従来、照明用の可視光を用いて通信を行う照明システムは、特許文献１に開示されているように、照明器具と、受光器（受信機）とを備える。従来の照明器具は、照明用の可視光を放射する複数の発光ダイオードと、複数の発光ダイオードの点灯及び消灯を制御するスイッチング制御回路とを備える。この従来の照明器具は、スイッチング制御回路によって複数の発光ダイオードのすべてに対し、送信情報を送信する可視光通信時の点灯時間と消灯時間を所定の割合で固定して複数の発光ダイオードのすべてを点灯させたり消灯させたりすることによって、可視光通信中の可視光の明るさ（輝度）を一定にするものである。
【特許文献１】特開２００４−１２０１０１号公報（段落０００９〜００１９及び第１，２図）
【発明の開示】
【発明が解決しようとする課題】
【０００３】
しかしながら、上記従来の照明器具には以下に記載の問題があった。従来の照明器具は、可視光通信中において可視光の輝度が一定となるものの、複数の発光ダイオードのすべてが可視光通信時に所定の割合で消灯するので、可視光通信時の可視光の輝度が、送信情報を送信しない非通信時より小さくなる。このため、可視光通信時と非通信時との間で可視光の輝度変化が大きくなり、使用者にとって違和感のある照明となってしまうという問題があった。このような可視光の輝度変化を低減するために非通信時の可視光の輝度も可視光通信時と同様に小さくすることが考えられるが、非通信時の可視光の輝度を小さくすると発光効率の低下を招いてしまうという新たな問題が発生する。
【０００４】
また、近年の照明器具には、照度センサを備え、この照度センサの検知結果によって光源を点灯制御するものがあるが、このような照度センサ付きの照明器具が周辺に設置されていると、可視光通信時と非通信時との間の可視光の輝度変化が発生するたびに照度センサ付きの照明器具の点灯も変化するので、さらに使用者にとって違和感のある照明となってしまうという問題もあった。
【０００５】
本発明は上記の点に鑑みて為されたものであり、その目的とするところは、送信情報を送信する可視光通信時と送信情報を送信しない非通信時との間で可視光の輝度変化を低減することができる照明器具及び照明システムを提供することにある。
【課題を解決するための手段】
【０００６】
請求項１に記載の照明器具の発明は、赤色光を放射する赤色発光ダイオード、緑色光を放射する緑色発光ダイオード及び青色光を放射する青色発光ダイオードを有する光源と、前記光源のうち前記赤色発光ダイオードのみに対し送信情報に基づいて点灯及び消灯を制御する制御手段とを備えることを特徴とする。
【０００７】
請求項２に記載の照明器具の発明は、請求項１に記載の発明において、前記制御手段が、前記送信情報を送信する可視光通信時と当該送信情報を送信しない非通信時とで前記赤色光の光出力が等しくなるように、前記可視光通信時における前記赤色発光ダイオードの点灯時に当該赤色発光ダイオードに流れる電流の大きさを制御することを特徴とする。
【０００８】
請求項３に記載の照明システムの発明は、請求項１又は２に記載の照明器具と、前記照明器具からの赤色光を受光して送信情報を受信する受信機とを備えることを特徴とする。
【発明の効果】
【０００９】
請求項１に記載の照明器具の発明によれば、赤色発光ダイオードからの赤色光のみを用いて送信情報を送信することができるので、送信情報を送信する可視光通信時と送信情報を送信しない非通信時との間で可視光の輝度変化を低減することができる。また、例えば赤外線用（近赤外線用を含む）などで赤色光も受光可能なものとして既に広く普及されている受信機を用いることができるので、高効率な可視光通信を容易に行うことができる。さらに、制御手段のハードウェアが赤色発光ダイオードのみに対応するものであればよいので、可視光通信を行わない照明器具と同様の簡単な構成にすることができる。
【００１０】
請求項２に記載の照明器具の発明によれば、可視光通信時と非通信時とで赤色光の光出力を等しくすることができるので、可視光通信時と非通信時との間で、赤色光、緑色光及び青色光の三原色の光による白色光の色変化を低減することができる。
【００１１】
請求項３に記載の照明システムの発明によれば、照明器具において、赤色発光ダイオードからの赤色光のみを用いて送信情報を送信することができるので、可視光通信時と非通信時との間で可視光の輝度変化を低減することができる。また、例えば赤外線用などで赤色光も受光可能なものとして既に広く普及されている受信機を照明器具とともに用いることができるので、高効率な可視光通信を容易に行うことができる。さらに、照明器具において、制御手段のハードウェアが赤色発光ダイオードのみに対応するものであればよいので、可視光通信を行わない照明器具と同様の簡単な構成にすることができる。
【発明を実施するための最良の形態】
【００１２】
（実施形態１）
本発明の実施形態１について図１，２を用いて説明する。図１は、実施形態１の構成を示すブロック図である。図２は、実施形態１に係る照明器具の各発光ダイオードの発光スペクトル及び受信機の受光部の感度スペクトルを示す分布図である。
【００１３】
まず、実施形態１となる照明システムの構成について説明する。この照明システムは、照明用の可視光を用いて通信を行うものであり、図１に示すように、照明器具１と、受信機２とを備えている。
【００１４】
照明器具１は、光源１０と、３つの電源１１，１２，１３と、発振周期制御部１４とを備えている。光源１０は、緑色光を放射する緑色発光ダイオード１００と、青色光を放射する青色発光ダイオード１０１と、赤色光を放射する赤色発光ダイオード１０２とをそれぞれ複数有して構成されている。この光源１０は、緑色光、青色光及び赤色光の三原色の光によって白色光を生成し、この白色光を外部に放射する。青色光のピーク波長は約４７０ｎｍであり、緑色光のピーク波長は約５３０ｎｍであり、赤色光のピーク波長は約６３０ｎｍである（図２参照）。なお、光源１０は、緑色発光ダイオード１００、青色発光ダイオード１０１及び赤色発光ダイオード１０２のそれぞれが個別に複数配置されたものであってもよいし、１つのパッケージ化された発光ダイオードユニットの中に緑色発光ダイオード１００、青色発光ダイオード１０１及び赤色発光ダイオード１０２が組み込まれたタイプであってもよい。
【００１５】
電源１１は緑色発光ダイオード用のものであり、電源１２は青色発光ダイオード用のものであり、電源１３は赤色発光ダイオード用のものである。電源１１（１２）は入力側から順に、整流平滑部１１０（１２０）と、定電流部１１１（１２１）とを備え、入力側で交流電源３と接続し、出力側で緑色発光ダイオード１００（青色発光ダイオード１０１）と接続している。電源１３は入力側から順に、整流平滑部１３０と、定電流部１３１とを備え、入力側で交流電源３と接続し、出力側で後述の発振部１４１と接続している。交流電源３は例えば商用電源などである。整流平滑部１１０（１２０，１３０）は例えばダイオードブリッジ回路などで構成され、交流電源３からの交流電流を整流し、平滑して定電流部１１１（１２１，１３１）に出力する。定電流部１１１（１２１，１３１）は例えばシャントレギュレータ又はカレントミラー回路などで構成され、整流平滑部１１０（１２０，１３０）からの電流の大きさを一定にし、一定の大きさの直流電流を緑色発光ダイオード１００（青色発光ダイオード１０１，発振部１４１）に出力する。
【００１６】
上記より、電源１１は緑色発光ダイオード１００に直流電流を供給し、電源１２は青色発光ダイオード１０１に直流電流を供給する。これにより、緑色発光ダイオード１００及び青色発光ダイオード１０１は一定の大きさの光出力で定常的に点灯することができる。一方、電源１３は発振部１４１を介して赤色発光ダイオード１０２に電流を供給する。
【００１７】
発振周期制御部１４は入力側で信号受信部１４０と接続し、出力側で発振部１４１と接続している。信号受信部１４０は情報信号を外部機器４から受信し、受信した情報信号を発振周期制御部１４に出力する。外部機器４は例えば制御機器などであるが、上記に限定されるものではなく用途に応じて適宜設定される。情報信号には、受信機２に送信する情報である送信情報が含まれている。また、実施形態１の情報信号は、「１」と「０」の比率が同じパルス状のものが一定の通信頻度で繰り返された信号である（図３（ｄ）の「ｔ２〜ｔ３，ｔ４〜ｔ５」参照）。この情報信号を入力するときに用いられる通信方式は、規格化された一般的なものが多く、例えばＲＳ４８５などの１対複数の通信方式である。
【００１８】
上記の発振周期制御部１４は、光源１０のうち赤色発光ダイオード１０２のみに対し、信号受信部１４０から入力した情報信号に基づいて点灯及び消灯を制御する制御手段である。具体的には、発振周期制御部１４は発振部１４１に対して、情報信号に基づいた電流パターンを電源１３からの直流電流に重畳してパルス状の電流とし、このパルス状の電流を赤色発光ダイオード１０２に出力するように制御することによって、赤色発光ダイオード１０２の点灯及び消灯を情報信号に基づいて制御する。赤色発光ダイオード１０２はパルス状の電流の供給によって点灯したり消灯したりする。
【００１９】
受信機２は、入力側から順に、受光部２０と、増幅部２１と、バンドパスフィルタ２２と、判断部２３と、表示部２４とを備えている。受光部２０は、汎用性及び入手性が高く簡易な構成であって安価に入手可能な近赤外線用のものであり、例えばフォトダイオードなどの光電変換素子（図示せず）と、例えば抵抗などの回路素子（図示せず）とを備え、照明器具１からの可視光を受光する。特に、受光部２０は、赤色発光ダイオード１０２からの赤色光を高い感度で受光する。この受光部２０は、受光した赤色光に含まれる送信信号（送信情報を含む）を電気信号に変換し、この電気信号を増幅部２１に出力する。
【００２０】
ここで、実施形態１の照明器具１の緑色発光ダイオード１００、青色発光ダイオード１０１及び赤色発光ダイオード１０２のそれぞれの発光スペクトルと受信機２の受光部２０の感度スペクトルとの関係について図２を用いて説明する。受光部２０の感度スペクトルは約７８０ｎｍをピーク波長として広い帯域を満たしている。この受光部２０の感度スペクトルにおいて、赤色発光ダイオード１０２からの赤色光（約６３０ｎｍ）に対する受光感度が、緑色発光ダイオード１００からの緑色光（約５３０ｎｍ）に対する受光感度及び青色発光ダイオード１０１からの青色光（約４７０ｎｍ）に対する受光感度より高くなっている。実施形態１では赤色発光ダイオード１０２からの赤色光を用いて可視光通信を行うので、汎用性が高く安価に入手可能な近赤外線用の受光部２０であっても効率のよい可視光通信を行うことができる。
【００２１】
増幅部２１は、図１に示すように、例えばオペアンプなどで構成され、受光部２０からの電気信号を増幅してバンドパスフィルタ２２に出力する。バンドパスフィルタ２２は、例えばオペアンプなどで構成される汎用のものであり、増幅部２１で増幅された電気信号の周波数の差を検出しやすくする。判断部２３は例えばマイコンなどで構成され、バンドパスフィルタ２２からのデジタル信号を、予め設定された通信速度で受信データに復調し、復調した受信データを表示部２４に出力する。表示部２４は例えば液晶表示パネルなどの汎用のものであり、判断部２３で復調された受信データの内容（送信情報）を表示する。
【００２２】
次に、実施形態１の照明器具１の動作について図１を用いて説明する。なお、緑色発光ダイオード１００、青色発光ダイオード１０１及び赤色発光ダイオード１０２のそれぞれに流れる電流の電流値は、白色光を目標の色温度にするために予め設定されている。最初に、緑色発光ダイオード１００及び青色発光ダイオード１０１の点灯について説明する。まず、電源１１，１２が交流電源３から交流電流を入力し、入力した交流電流を、予め設定された電流値の直流電流に変換し、変換した直流電流を緑色発光ダイオード１００及び青色発光ダイオード１０１に出力する。そして、緑色発光ダイオード１００及び青色発光ダイオード１０１が電源１１，１２からの直流電流によって、可視光通信時であるか否かに関係なく一定の光出力で定常的に点灯し続ける。
【００２３】
続いて、赤色発光ダイオード１０２の点灯について説明する。まず、電源１３が交流電源３から交流電流を入力し、入力した交流電流を直流電流に変換し、変換した直流電流を発振部１４１に出力する。外部機器４からの情報信号の入力がない非通信時である場合、赤色発光ダイオード１０２が、緑色発光ダイオード１００及び青色発光ダイオード１０１と同様に予め設定された電流値の直流電流によって定常的に点灯する。これに対して、外部機器４からの情報信号の入力がある可視光通信時である場合、信号受信部１４０が外部機器４から情報信号を受信する。その後、発振周期制御部１４が信号受信部１４０から情報信号を入力し、入力した情報信号に基づいた電流パターンを発振部１４１に出力することによって、発振部１４１に対して電源１３からの直流電流に電流パターンを重畳してパルス状の電流とし、このパルス状の電流を赤色発光ダイオード１０２に出力するように制御する。そして、赤色発光ダイオード１０２が、発振部１４１からのパルス状の電流に基づいて点灯及び消灯を行う。
【００２４】
以上、実施形態１によれば、照明器具１において、緑色発光ダイオード１００及び青色発光ダイオード１０１が一定の光出力で点灯したまま、赤色発光ダイオード１０２からの赤色光のみを用いて送信情報を送信することができるので、送信情報を送信する可視光通信時と送信情報を送信しない非通信時との間の可視光の輝度変化を低減することができる。また、赤色光を受光可能なものとして既に広く普及されている近赤外線用の受信機２を照明器具１とともに用いることができるので、高効率な可視光通信を容易に行うことができる。さらに、照明器具１において、発振周期制御部１４のハードウェアが赤色発光ダイオード１０２のみに対応するものであればよいので、可視光通信を行わない照明器具と同様の簡単な構成にすることができる。
【００２５】
（実施形態２）
本発明の実施形態２について図１，３を用いて説明する。図３は、実施形態２に係る照明器具の各発光ダイオード及び情報信号のタイムチャートである。
【００２６】
まず、実施形態２となる照明システムの構成について説明する。この照明システムは、図１に示すように、照明器具１と、受信機２とを実施形態１の照明システムと同様に備えているが、実施形態１の照明システムにはない以下の特徴部分を有する。
【００２７】
実施形態２に係る照明器具１の発振周期制御部１４は、送信信号を送信する可視光通信時と送信信号を送信しない非通信時とで、赤色発光ダイオード１０２からの赤色光の光出力が等しくなるように、可視光通信時における赤色発光ダイオード１０２の点灯時に赤色発光ダイオード１０２に流れる電流の電流値を、非通信時に赤色発光ダイオード１０２に流れる電流より大きくするように制御する。なお、実施形態２の発振周期制御部１４は上記以外の点において、実施形態１の発振周期制御部と同様である。
【００２８】
ここで、実施形態２の発振周期制御部１４について、さらに具体的に説明する。発振周期制御部１４は信号受信部１４０から情報信号を入力し、入力した情報信号に基づいて電流パターンを生成する。実施形態２では、可視光通信時と非通信時とで、赤色発光ダイオード１０２からの赤色光の光出力が等しくなるように電流パターンの電流値の振幅を設定している。また、上記の発振周期制御部１４は、一定の電流値の振幅を有する電流パターンを発振部１４１に出力し、発振部１４１に対して、電流パターンを電源１３からの直流電流に電流パターンを重畳してパルス状の電流とするように制御する。これにより、パルス状の電流における電流値の振幅は直流電流の電流値より電流パターンの電流値の振幅分だけ大きくなる（図３（ｃ）参照）。発振周期制御部１４は、さらに発振部１４１に対して、パルス状の電流を赤色発光ダイオード１０２に出力するように制御することによって、赤色発光ダイオード１０２の点灯及び消灯を情報信号に基づいて制御する。
【００２９】
次に、実施形態２の照明器具１の動作について図３を用いて説明する。なお、緑色発光ダイオード１００、青色発光ダイオード１０１及び赤色発光ダイオード１０２のそれぞれに流れる電流の電流値ＩＧ，ＩＢ，ＩＲ１は、白色光を目標の色温度にするために予め設定されている。また、情報信号は、「１」と「０」の比率が同じパルス状のものが一定の通信頻度で繰り返された信号である（図３（ｄ）の「ｔ２〜ｔ３，ｔ４〜ｔ５」参照）。最初に、緑色発光ダイオード１００及び青色発光ダイオード１０１は、実施形態１と同様に、可視光通信時であるか否かに関係なく予め設定された電流値ＩＧ，ＩＢの直流電流によって定常的に点灯し続ける（図３（ａ），（ｂ）参照）。
【００３０】
続いて、赤色発光ダイオード１０２について説明する。赤色発光ダイオード１０２は、外部機器４からの情報信号の入力がない非通信時である場合、実施形態１と同様に、予め設定された電流値ＩＲ１の直流電流によって定常的に点灯する（図３（ｃ）の「ｔ１〜ｔ２，ｔ３〜ｔ４」参照）。これに対して、外部機器４からの情報信号の入力がある可視光通信時の場合、信号受信部１４０が外部機器４から情報信号を受信する（図３（ｄ）の「ｔ２〜ｔ３，ｔ４〜ｔ５」参照）。発振周期制御部１４が信号受信部１４０から情報信号を入力し、入力した情報信号に基づいた電流パターン（電流値の振幅（ＩＲ２−ＩＲ１））を発振部１４１に出力することによって、発振部１４１に対して電源１３からの直流電流に電流パターンを重畳し、直流電流の電流値よりも大きな電流値の振幅を有するパルス状の電流とし、このパルス状の電流を赤色発光ダイオード１０２に出力するように制御する。そして、赤色発光ダイオード１０２が、発振部１４１からのパルス状の電流に基づいて点灯及び消灯を行う（図３（ｃ）の「ｔ２〜ｔ３，ｔ４〜ｔ５」参照）。
【００３１】
白色光を目標の色温度にするために、緑色発光ダイオード１００、青色発光ダイオード１０１及び赤色発光ダイオード１０２のそれぞれに流れる電流の電流値ＩＧ，ＩＢ，ＩＲ１が設定されているが、可視光通信時も電流値ＩＲ１を振幅とするパルス状の電流とすると、可視光通信中に消灯する時間帯が発生するので、赤色光の光出力が可視光通信時に低下し、可視光通信時と非通信時とで色温度が変わってしまう。しかし、実施形態２では、可視光通信時に赤色発光ダイオード１０２の点灯時に流れる電流を、図３（ｃ）に示すように、非通信時の電流値ＩＲ１よりも大きな電流値ＩＲ２とすることによって、可視光通信時の赤色光の消灯による光出力の低下を補うことができ、赤色光の光出力を可視光通信時と非通信時との間で等しくすることができるので、可視光通信時であっても白色光を目標の色温度にすることができ、非通信時と同様の演出を行うことができる。
【００３２】
以上、実施形態２によれば、可視光通信時の赤色発光ダイオード１０２の点灯時に流れる電流の電流値ＩＲ２を非通信時の電流値ＩＲ１より大きくすることによって、可視光通信時の赤色光の消灯による光出力の低下を補うことができ、可視光通信時と非通信時とで赤色光の光出力を等しくすることができるので、可視光通信時と非通信時との間で、赤色光、緑色光及び青色光の三原色の光による白色光の色変化を低減することができる。
【００３３】
（実施形態３）
本発明の実施形態３について図４を用いて説明する。図４は、実施形態３に係る照明器具の構成を示すブロック図である。
【００３４】
まず、実施形態３となる照明システムの構成について説明する。この照明システムは、実施形態１と同様の受信機２（図１参照）を備えているとともに、図４に示すような照明器具１ａを備えている。照明器具１ａは、図４に示すように、光源１０と、２つの電源１１，１２とを実施形態１の照明器具１（図１参照）と同様に備えているが、実施形態１の照明器具１にはない以下の特徴部分を有する。
【００３５】
照明器具１ａは、積分回路部１５を備えているとともに、実施形態１の電源１３（図１参照）に代えて電源１３ａを備えている。また、照明器具１ａの信号受信部１４０は、実施形態１と同様の情報信号を外部機器４から受信するだけでなく、「１」と「０」の比率及び通信頻度がさまざまな組み合わせとなる情報信号を外部機器４から受信する。
【００３６】
積分回路部１５は、入力側で信号受信部１４０と接続し、出力側で後述の定電流部１３１ａと接続している。この積分回路部１５は、信号受信部１４０が受信した情報信号を入力して積分し、積分した信号を定電流部１３１ａに出力するものであり、発振周期制御部１４とともに制御手段を構成する。
【００３７】
電源１３ａは入力側から順に、実施形態１と同様の整流平滑部１３０を備えているとともに、実施形態１の定電流部１３１に代えて定電流部１３１ａを備えている。定電流部１３１ａは、整流平滑部１３０からの電流に積分回路部１５からの信号を加算するとともに一定の大きさにし、一定の大きさの直流電流を発振部１４１に出力する。
【００３８】
次に、実施形態３の照明器具１ａの動作について図４を用いて説明する。なお、緑色発光ダイオード１００、青色発光ダイオード１０１及び赤色発光ダイオード１０２のそれぞれに流れる電流の電流値は、白色光を目標の色温度にするために予め設定されている。また、情報信号は、「１」と「０」の比率及び通信頻度がさまざまな組み合わせから構成されるものである。最初に、緑色発光ダイオード１００及び青色発光ダイオード１０１は、実施形態１と同様に、可視光通信時であるか否かに関係なく予め設定された電流値の直流電流によって定常的に点灯し続ける。
【００３９】
続いて、赤色発光ダイオード１０２について説明する。赤色発光ダイオード１０２は、外部機器４からの情報信号の入力がない非通信時である場合、実施形態１と同様に、予め設定された電流値の直流電流によって定常的に点灯する。これに対して、外部機器４からの情報信号の入力がある可視光通信時の場合、信号受信部１４０が外部機器４から情報信号を受信する。積分回路部１５が信号受信部１４０から情報信号を入力して積分し、積分した信号を定電流部１３１ａに出力する。そして、定電流部１３１ａが整流平滑部１３０からの電流に積分回路部１５からの信号を加算するとともに一定の大きさにし、直流電流を発振部１４１に出力する。これとは別に、発振周期制御部１４が、実施形態１と同様に、信号受信部１４０から入力した情報信号に基づいた電流パターンを発振部１４１に出力することによって、発振部１４１に対して電源１３ａからの直流電流に電流パターンを重畳してパルス状の電流とし、このパルス状の電流を赤色発光ダイオード１０２に出力するように制御する。そして、赤色発光ダイオード１０２が、発振部１４１からのパルス状の電流に基づいて点灯及び消灯を行う。
【００４０】
白色光を目標の色温度にするために、緑色発光ダイオード１００、青色発光ダイオード１０１及び赤色発光ダイオード１０２のそれぞれに流れる電流の電流値が設定されているが、可視光通信時も非通信時と同じ電流値の電流とすると、可視光通信中に消灯する時間帯が発生するので、赤色光の光出力が可視光通信時に低下し、可視光通信時と非通信時とで色温度が変わってしまう。しかし、実施形態３では、可視光通信時に赤色発光ダイオード１０２の点灯時に流れる電流を非通信時の電流値よりも大きな電流値とすることによって、可視光通信時の赤色光の消灯による光出力の低下を補うことができ、赤色光の光出力を可視光通信時と非通信時との間で等しくすることができるので、可視光通信時であっても白色光を目標の色温度にすることができ、非通信時と同様の演出を行うことができる。
【００４１】
以上、実施形態３によれば、「１」と「０」の比率及び通信頻度がさまざまな組み合わせとなる情報信号の場合であっても、可視光通信時の赤色発光ダイオード１０２の点灯時に流れる電流の電流値を非通信時の電流値より大きくすることができる。これにより、可視光通信時の赤色光の消灯による光出力の低下を補うことができ、可視光通信時と非通信時とで赤色光の光出力を等しくすることができるので、可視光通信時と非通信時との間で、赤色光、緑色光及び青色光の三原色の光による白色光の色変化を低減することができる。
【００４２】
なお、実施形態１〜３のいずれかにおける変形例として、照明器具１（１ａ）が、発光ダイオード１００，１０１，１０２ごとに電源１１，１２，１３（１３ａ）を備えるのではなく、電源のうち整流平滑部を共通にし、定電流部を発光ダイオード１００，１０１，１０２ごとに備える構成であってもよい。
【００４３】
また、実施形態１〜３のいずれかにおける他の変形例として、照明器具１（１ａ）が、外部機器４から受信した情報信号に含まれる送信情報を送信するのではなく、内部に設けられた記憶媒体（図示せず）に予め記憶された固定データの送信情報を送信してもよい。
【００４４】
さらに、実施形態１〜３のいずれかにおける他の変形例として、照明器具１（１ａ）が、光源１０からの白色光を調光するために、各発光ダイオード１００，１０１，１０２にパルス状の電流を供給するための調光制御手段を備えてもよい。
【図面の簡単な説明】
【００４５】
【図１】本発明の実施形態１，２の構成を示すブロック図である。
【図２】同上に係る照明器具の各発光ダイオードの発光スペクトル及び受信機の受光部の感度スペクトルを示す分布図である。
【図３】本発明の実施形態２に係る照明器具において、（ａ）が緑色発光ダイオードに流れる電流のタイムチャート、（ｂ）が青色発光ダイオードに流れる電流のタイムチャート、（ｃ）が赤色発光ダイオードに流れる電流のタイムチャート、（ｄ）が情報信号のタイムチャートである。
【図４】本発明の実施形態３に係る照明器具の構成を示すブロック図である。
【符号の説明】
【００４６】
１，１ａ  照明器具
１０  光源
１００  緑色発光ダイオード
１０１  青色発光ダイオード
１０２  赤色発光ダイオード
１４  発振周期制御部
１５  積分回路部
２  受信機
【図１】
2008034988.tif 000003
【図２】
2008034988.tif 000004
【図３】
2008034988.tif 000005
【図４】
2008034988.tif 000006